(57)【要約】【課題】  タンク内に装填される内袋を用いた液体輸送において、輸送タンク内袋の破損を防止する。【解決手段】  内側筒状フイルム２３ａと外側筒状フイルム２３ｂとにより二重化して、輸送タンク内袋２０を構成する。二重化した筒状フイルム２３ａ，２３ｂの一端部２３ｃ，２３ｅを熱溶着器３３により熱溶着して閉じる。平坦な作業台２５上で巻取りローラ３８を二重化筒状フイルム２３ａ，２３ｂの一端部２３ｃから他端部２３ｄに向けて転がし、巻取りローラ３８に二重化筒状フイルム２３ａ，２３ｂの一端部２３ｃから巻き付けていく。二重化された内袋本体２１のエア３９が抜かれるため、液体を充填したときに、充填された液体で残留エアを含む内袋部分が圧迫されることがなく、輸送タンク内袋２０の破損が抑えられる。【選択図】        図７
2005239267.tif 000002
【特許請求の範囲】
【請求項１】
輸送タンクの内部に着脱自在に装着され、合成樹脂製の内袋本体と前記輸送タンクの下部に配置されたタンク給排口に嵌合される内袋給排口とを有する封筒型の輸送タンク内袋の製造方法において、
筒状フイルムの一端部を溶着して幅方向に溶着ラインを形成し袋状に一端部を閉じる一端部溶着工程と、
前記切断した筒状フイルムの一方の面に内袋給排口用の穴を形成し、この内袋給排口用穴に前記内袋給排口を溶着する内袋給排口取付工程と、
前記切断した筒状フイルムの他端部からエアを抜くエア抜き工程と、
前記エアが抜かれた筒状フイルムの他端部を溶着して幅方向に溶着ラインを形成し袋状に他端部を閉じる他端部溶着工程と
を有することを特徴とする輸送タンク内袋の製造方法。
【請求項２】
前記筒状フイルムは、内側筒状フイルム及び外側筒状フイルムからなる多重筒状フイルムであることを特徴とする請求項１記載の輸送タンク内袋の製造方法。
【請求項３】
前記筒状フイルムを平坦な作業台上に拡げて、前記一端部から他端部に向けて押圧ローラを前記筒状フイルムに転接させて、前記エア抜き工程を行うことを特徴とする請求項１または２記載の輸送タンク内袋の製造方法。
【請求項４】
前記筒状フイルムを平坦な作業台上に拡げて、前記一端部から巻取りローラに前記筒状フイルムに巻き付けて、前記エア抜き工程を行うことを特徴とする請求項１または２記載の輸送タンク内袋の製造方法。
【請求項５】
前記一端部から前記筒状フイルム内に吸引部材を挿入して吸引部材を引出しながらエアを吸引することにより、前記エア抜き工程を行うことを特徴とする請求項１または２記載の輸送タンク内袋の製造方法。
【請求項６】
前記エア抜き後に前記内袋給排口に栓をすることを特徴とする請求項１ないし５いずれか一つ記載の輸送タンク内袋の製造方法。
【請求項７】
前記内袋給排口を下にむけた状態で前記作業台に前記筒状フイルムを拡げたときに、前記内袋給排口が位置する作業台の部分に、内袋給排口を収納する収納凹部が形成されていることを特徴とする請求項１ないし６いずれか一つ記載の輸送タンク内袋の製造方法。
【発明の詳細な説明】
【技術分野】
【０００１】
本発明は輸送タンク内袋の製造方法に関するものである。
【背景技術】
【０００２】
船舶、鉄道、自動車などの貨物輸送において、貨物が液体の場合には、一般的にタンクコンテナが用いられる。このようなタンクコンテナとしては、国際規格であるＩＳＯ規格の例えば２０フィートタンクコンテナ（以下、単にタンクコンテナと称する。）が一般的に用いられる。このタンクコンテナは、長さが２０フィート、幅が８フィート、高さが８フィートであり、約２０トンの液体の充填が可能である。
【０００３】
このようなタンクを用いたコンテナ輸送では、輸送後にタンク内を洗浄する必要があること、耐薬品性を有する高品質なステンレス鋼板を用いてタンクを製造する必要があることなどから、例えば特許文献１に示すように、タンクを一般的な鋼板で製造し、このタンク内に耐薬品性を有する軟質合成樹脂製の内袋を装填することが提案されている。また、特許文献２〜５には、同じようにタンクに内袋を装填して、洗浄などの手間を省くようにしたものが提案されている。
【０００４】
【特許文献１】特開昭６１−１０４９８３号公報
【特許文献２】特開２００１−３５４２９２号公報
【特許文献３】実開昭６１−４８１９０号公報
【特許文献４】特開昭５０−４６１５号公報
【特許文献５】実開昭５７−４６４９２号公報
【発明の開示】
【発明が解決しようとする課題】
【０００５】
しかしながら、上記従来の内袋を有するタンクやタンクコンテナ等については、特許文献１〜５のように種々の提案がなされているものの、２０フィートタンクコンテナなどの大型のタンクに対して、適切な内袋を製造することが困難であり、実用化されていないのが現状である。すなわち、長さが２０フィート、幅が８フィート、高さが８フィートの円筒状タンクに適合する内袋を簡単に安価に製造することが困難であった。
【０００６】
例えば、タンクコンテナの形状に適合した内袋としては、タンクコンテナとほぼ同形状の円筒体状が理想的である。しかし、この場合には筒状フイルムの両端部に円形状蓋フイルムを溶着する必要があり、円形状蓋フイルムの形成、これの溶着といった手間を要し、製造が困難である。しかも、円形状蓋フイルムの溶着では、二次元方向での溶着が不可能であり、三次元方向での溶着となるため、これらフイルムを溶着するためのガイド装置などに専用のものが必要になるという問題もある。
【０００７】
これに対して、封筒型の内袋とすることで、単に筒状フイルムの両端部を溶着するだけでよく、製造が容易になる。この内袋では、タンクの給排口に内袋の給排口をセットすることにより、液体がタンク内面に直に接触することがなくなる。したがって、内袋を取り替えることにより、従来必要であったタンク内の洗浄処理が不要になる。
【０００８】
しかしながら、このような内袋を開発する過程で以下のような不具合が発生することが判った。内袋の素材として、例えばプラスチックフイルムを用いる場合に、例えば１００μｍ程度の厚みであると、内袋に付着した鉄粉などのゴミによって微小な孔（ピンホール）が開いてしまうことがある。この場合には、ピンホールによって輸送物である液体がタンク内に洩れ、内袋のライニングとしての機能がなくなり、タンク内を洗浄処理する必要がある。このため、内袋を二重以上の多重化として、ピンホール対策を施すと、二重化によって内側フイルムと外側フイルムとの間に空気が入ることがある。この空気が入った内袋に対して輸送物としての液体を充填すると、液体の充填に伴い内側フイルムが膨出すると、内側及び外側フイルムの間の空気が逃げ場を失い、外側フイルムやその溶着ラインが破裂することがあり、改善が望まれていた。
【０００９】
本発明は上記課題を解決するためになされたものであり、ピンホール対策として内袋を二重化した場合でも、液体の充填に伴う外側フイルムやその溶着ラインが破裂することがないようにした輸送タンク内袋の製造方法を提供することを目的とする。また、本発明は、エア混入が少ない一重の輸送タンク内袋を提供することを目的とする。
【課題を解決するための手段】
【００１０】
上記目的を達成するために、本発明の輸送タンク内袋の製造方法は、輸送タンクの内部に着脱自在に装着され、合成樹脂製の内袋本体と前記輸送タンクの下部に配置されたタンク給排口に嵌合される内袋給排口とを有する封筒型の輸送タンク内袋の製造方法であって、筒状フイルムの一端部を溶着して幅方向に溶着ラインを形成し袋状に一端部を閉じる一端部溶着工程と、前記切断した筒状フイルムの一方の面に内袋給排口用の穴を形成し、この内袋給排口用穴に前記内袋給排口を溶着する内袋給排口取付工程と、前記切断した筒状フイルムの他端部からエアを抜くエア抜き工程と、前記エアが抜かれた筒状フイルムの他端部を溶着して幅方向に溶着ラインを形成し袋状に他端部を閉じる他端部溶着工程とを有することを特徴とする。なお、前記筒状フイルムは、内側筒状フイルム及び外側筒状フイルムからなる多重筒状フイルムであることが好ましい。
【００１１】
なお、前記筒状フイルムを平坦な作業台上に拡げて、前記一端部から他端部に向けて押圧ローラを前記筒状フイルムに転接させたり、前記一端部から巻取りローラに前記筒状フイルムに巻き付けたりして、前記エア抜き工程を行うことが好ましい。また、前記一端部から前記筒状フイルム内に吸引部材を挿入して吸引部材を引出しながらエアを吸引することにより、前記エア抜き工程を行うことが好ましい。そして、前記エア抜き後に前記内袋給排口に栓をすることが好ましい。また、前記内袋給排口を下にむけた状態で前記作業台に前記筒状フイルムを拡げたときに、前記内袋給排口が位置する作業台の部分に、内袋給排口を収納する収納凹部が形成されていることが好ましい。
【発明の効果】
【００１２】
本発明では、一端部溶着工程と内袋給排口取付工程とエア抜き工程と他端部溶着工程とを備え、筒状フイルムの一端部を溶着して幅方向に溶着ラインを形成し袋状に一端部を閉じ、前記筒状フイルムの一方の面に内袋給排口用の穴を形成し、この内袋給排口用穴に前記内袋給排口を溶着し、前記切断した筒状フイルムの他端部からエアを抜き、このエアが抜かれた筒状フイルムの他端部を溶着して幅方向に溶着ラインを形成し袋状に他端部を閉じることにより、輸送タンク内袋の製造において内袋本体にエアが入り込むことがなくなる。したがって、輸送物内にエアが混入したり、二重または多重の内袋本体の場合には、複数の内袋本体間（層間）にエアが入ることがなく、輸送物の充填により層間エアが圧迫されて内袋本体が破裂することがなくなる。
【発明を実施するための最良の形態】
【００１３】
図１は２０フィートのＩＳＯタンクコンテナ１０を示しており、タンク本体１１とこれを保持するフレーム１２とから構成されている。タンク本体１１の上部には、メンテナンスや液注入などを行うためのハッチ１３が形成されており、このハッチ１３は蓋１４によって覆われて、輸送時には蓋１４が開くことがないように、ロック部材によってロックされている。また、タンク本体１１の一端下部にはタンク給排口１５が形成されており、このタンク給排口１５のフランジ１５ａを介して、フートバルブ１６が固定されている。
【００１４】
タンク本体１１内には、輸送タンク用内袋（以下、単に内袋という）２０が装填される。この内袋２０は、ハッチ１３から作業者によってタンク本体１１内に持ち込まれ、作業者によってタンク本体１１にセットされる。そして、フートバルブ１６を介してタンク給排口１５から貨物としての液体が充填されることにより、タンク本体１１内で内袋２０が膨らみ、この内袋２０がタンク本体１１のライニングとして機能する。
【００１５】
図２（Ａ）に示すように、内袋２０は、封筒状に形成された内袋本体２１と、前記タンク給排口１５に嵌合する内袋給排口２２とから構成されている。このように封筒状に内袋２０を形成しているため、図３（Ａ）に示すように、筒状フイルム２３をロール状に巻き取ったフイルムロール２４から、筒状フイルム２３を引き出して、所定の長さに切断し、この切断した二つの筒状フイルム２３ａ，２３ｂの両端部２３ｃ〜２３ｆを熱溶着などによって接合することにより、簡単に内袋本体２１を形成することができる。
【００１６】
図２は、タンク本体１１と内袋２０との寸法の関係を示すもので、（Ａ）はタンク本体１１と内袋２０との平面を、（Ｂ）はタンク本体１１の長手方向縦断面と内袋２０とを、（Ｃ）はタンク本体１１の幅方向縦断面と内袋２０とをそれぞれ示している。ここで、長手方向縦断面とは、（Ａ）の平面図においてタンク本体１１の長手方向に伸びる中心線ＣＬ１を含む縦断面（Ｂ−Ｂ矢視断面）をいい、幅方向縦断面とはタンク本体１１の幅方向に伸びる中心線ＣＬ２を含む縦断面（Ｃ−Ｃ矢視断面）をいう。なお、ＣＬ３はタンク本体１１の高さ方向に伸びる中心線を示している。
【００１７】
タンク本体１１は横置きされて両端が閉じられた円筒体状に構成されており、内袋２０は封筒状に構成されている。したがって、内袋２０のサイズがタンク本体１１に合わせた適正なサイズ範囲よりも小さい場合には、所定の充填容量を確保することができないばかりか、タンク本体１１の内周面と内袋２０の間に隙間が発生し、この隙間内を内袋２０と充填した液とが移動することになって、内袋給排口２２の溶着部分や、内袋２０の両端部の溶着ラインで破損してしまうことがある。また、逆に内袋２０のサイズがタンク本体に合わせた適正なサイズ範囲を超えて大きい場合には、原材料の無駄につながるだけでなく、内袋２０の端部などの余剰部分が充填された液体の下方に位置してしまうと、この充填液の重みによって内袋２０の端部が、液体が充填された内袋本体２１とタンク本体１１の内周面との間に挟まれてしまい、それ以上の液体の充填が不可能になってしまう。また、このまま液体の充填が続行される場合には、内袋２０の内圧が高まって、破損してしまうことがある。
【００１８】
本実施形態では、タンク本体１１のサイズを基準にして封筒型の内袋２０のサイズをある一定範囲に規定することにより、上記のような液体の充填不良や、内袋２０の破損などを防止している。内袋２０の長さをＩＬ、その幅をＩＷ、タンク本体１１の長手縦断面における内周長（第１内周長）をＴＬｔ、タンク本体１１の幅方向縦断面における内周長（第２内周長）をＴＬｒとしたときに、
０．４７・ＴＬｔ≦ＩＬ≦０．６・ＴＬｔ、
０．４７・ＴＬｒ≦ＩＷ≦０．６・ＴＬｒとしている。
なお、前記ＩＬ，ＩＷは、好ましくは、
０．４９・ＴＬｔ≦ＩＬ≦０．５５・ＴＬｔ、
０．４９・ＴＬｒ≦ＩＷ≦０．５８・ＴＬｒである。
このようにタンク本体１１の内周長を基準にして封筒型内袋２０のサイズを規定しているため、タンク本体１１の形状が円筒状に限られず、他の楕円形状やその他の形状であっても容易に適用が可能である。
【００１９】
内袋給排口２２は、内袋２０の一端部からＬ１＝１７５０ｍｍ離れた位置で長手方向に伸びる中心線上またはその近傍に設けられる。このように、内袋２０の幅ＩＷを基準にしてＬ１を０．４４・ＩＷ≦Ｌ１≦０．５０・ＩＷの範囲内に規定することにより、タンク本体１１の一端下部に形成されたタンク給排口１５を基準にして内袋２０を取り付けても、タンク本体１１と内袋２０との長手方向での中心位置をほぼ一致させることができる。これにより、内袋２０の両端部の余剰部分をほぼ均等にタンク本体１１内で振り分けることができる。したがって、内袋２０の端部の余剰部分がタンク本体１１の片側で余って、タンク本体１１と内袋２０との間に挟まれてしまうことがなくなり、これに起因する液体の充填不良や内袋破損などがなくなる。
【００２０】
次に、本発明の内袋２０の製造方法について説明する。図４に示すフローチャートのように、筒状フイルムの切断、筒状フイルムの二重化、内袋給排口取付穴の形成、内袋給排口の取り付け、筒状フイルムの一端部の溶着、エア抜き、筒状フイルムの他端部の溶着、位置決めマークの記録、内袋本体の折り畳み、梱包の各工程が順次に行われて、筒状フイルムから内袋が構成される。
【００２１】
図３（Ａ）に示すように、筒状フイルムの切断工程では、フイルムロール２４から筒状フイルム２３を引き出して、作業台２５上に載せて長さＩＬで例えばカッタ２６により切断する。筒状フイルム２３は、ＬＬＤＰＥ（直鎖状低密度ポリエチレン）から構成されており、ロール形態に巻き取り収納されている。本実施形態では、内袋本体２１を二重化しているので、（Ｂ）に示すように、筒状フイルム２３を長さＩＬで２回切断し、二つの筒状フイルム２３ａ，２３ｂを形成する。本実施形態では２０フィートタンクコンテナ用内袋であるので、上記の適正範囲に基づき輸送用タンクの第１内周長ＴＬｔ≒１５５００ｍｍ、第２内周長ＴＬｒ≒７１００ｍｍから、ＩＬ＝８３００ｍｍ、ＩＷ＝３９００ｍｍとしている。なお、筒状フイルム２３のフイルム単層の厚みは１２０μｍであり、本実施形態では筒状フイルム２３として２層となっているので、筒状フイルム２３の全体厚みは２４０μｍである。なお、フイルム厚みは８０〜５００μｍの範囲が好ましく、特に好ましくは１００〜３００μｍの範囲である。
【００２２】
図３（Ｃ）に示すように、筒状フイルム２３ａ，２３ｂの二重化工程では、一方の筒状フイルム２３ａに他方の筒状フイルム２３ｂを被せて二重化する。次に、（Ｄ）に示すように、内袋給排口取付穴の穴あけ工程では、一方の端部２３ｄからＬ１＝１７５０ｍｍ離れた位置で幅方向中央に給排口に対応する穴２７を開ける。この穴開け加工は、パンチやカッタなどを用いて行われ、上側の２層フイルムのみに対して行われる。
【００２３】
図５（Ｅ）に示すように内袋給排口２２の取り付け工程では、開けられた穴２７の周縁に対して内袋給排口２２が熱溶着される。この熱溶着も上側の２層フイルムのみに対して行われる。内袋給排口２２は、截頭円錐筒状の給排口本体２２ａと、これの両端部に取り付けられるフランジ２２ｂ，２２ｃとから構成されており、例えばＬＬＤＰＥで一体成形されている。下側のフランジは溶着用とされており、この溶着フランジ２２ｂと内袋本体２１とは図示しない熱溶着器によって熱溶着され、溶着ライン２８，２９が形成される。また、上側の取付フランジ２２ｃはタンク給排口１５（図６参照）にタンク内側から内袋給排口２２を挿入したときに、タンク給排口１５のフランジ１５ａの外側に出て、このフランジ１５ａに取付フランジ２２ｃが密着する。
【００２４】
図６に示すように、タンク給排口１５のフランジ１５ａには、内袋吸入防止部材３０のフランジ３０ａや、フートバルブ１６が取り付けられ、これにより、内袋給排口２２はタンク給排口１５に確実に取り付けられる。また、給排口本体２２ａは、タンク給排口１５の内周面に沿うように形成されている。
【００２５】
図７（Ｆ）に示すように筒状フイルムの一端部の溶着工程では、二重化された筒状フイルム２３ａ，２３ｂの一端部２３ｃ，２３ｅのフイルム４層が、熱溶着器３３によって同時に熱溶着され一端部２３ｃ，２３ｅが閉じられる。熱溶着器３３は、受け台３３ａと溶着ヘッド３３ｂとから構成されており、溶着ヘッド３３ｂが下降して受け台３３ａとにより筒状フイルム端部２３ｃを挟持した状態で熱が付与される。
【００２６】
図８（Ａ）に示すように、熱溶着ライン３５ａ，３５ｂは、本実施形態では幅５ｍｍの直線状であり、これらの熱溶着ライン３５ａ，３５ｂは隙間５〜１０ｍｍを設けて２条形成しているが、熱溶着ラインは１条や３条以上であってもよく、また、直線状に代えて波形などの溶着ラインとしてもよい。複条の熱溶着ラインの形成に際して、各溶着ラインは一括して形成してもよく、または片側ずつ順に形成してもよい。（Ａ）は内側筒状フイルム２３ａと外側筒状フイルム２３ｂとの端部２３ｃ，２３ｅを４層状態で溶着したものであり、この場合には、熱溶着ライン３５ａ，３５ｂを一括して形成しても片側ずつ順に形成してもよい。（Ｂ）は内側の筒状フイルム２３ａの一端部２３ｃのみを先ず溶着して熱溶着ライン３６ａを形成し、次に内側筒状フイルム２３ａの一端部２３ｃと外側筒状フイルム２３ｂの一端部２３ｅとを、先の溶着ライン３６ａの外側で４層状態で一括して溶着して熱溶着ライン３６ｂを形成している。また、（Ｃ）は、内側筒状フイルム２３ａを外側筒状フイルム２３ｂに比べて少し短くしておき、それぞれの筒状フイルム２３ａ，２３ｂの端部２３ｃ，２３ｅを二層状態で個別に熱溶着し、熱溶着ライン３７ａ，３７ｂを形成している。なお、熱溶着ラインは、全幅分を一括して溶着してもよく、また溶着ヘッド３３ｂの長さが制限される場合には、溶着ヘッド３３ｂの長さ分ずつ逐次溶着してもよい。熱溶着器３３はヒートシール方式を採用しているが、筒状フイルムの両端部の接合は超音波溶着法やその他の溶着方法、あるいは接着剤で行ってもよく、さらには、溶着と接着とを併せて用いてもよい。
【００２７】
図７（Ｇ）に示すようにエア抜き工程では、筒状フイルム２３ａ，２３ｂの熱溶着した一端部２３ｃから他端部２３ｄに向けて巻取りローラ３８を作業台２５の上で転がしながら、巻取りローラ３８に一端部２３ｃから巻き付けていくことにより、二重化された内袋本体２１のエア３９が抜かれる。なお、他端部２３ｄ近くには内袋給排口２２が突出して取り付けられているので、この部分を回避するように小さなローラが用いられて、内袋給排口２２と他端部２３ｄとの間のエアが抜かれる。エア抜き後は内袋給排口２２にキャップ４１が嵌め込まれて、空気の流入が阻止される。
【００２８】
図７（Ｈ）に示すように筒状フイルム２３ａ，２３ｂの他端部２３ｄ，２３ｆの溶着工程では、エア抜きされた筒状フイルム２３ａ，２３ｂの他端部２３ｄ，２３ｆが一端部２３ｃ，２３ｅと同様に熱溶着器３３で熱溶着され、図９（Ａ）に示すように、内袋２０が完成する。そして、内袋２０には、長手方向に伸びる中心線に沿ってライン状の位置決めマーク４５が油性インクなどで記録される。位置決めマーク４５は本実施形態ではライン状であるが、これは位置決めすることができるものであればよく、形状やそのサイズなどは特に限定されない。内袋２０の完成後は、内袋本体２１が折り畳まれて、梱包袋４０に収納される。なお、内袋完成後の折り畳み前に、内袋給排口のキャップ４１を外して内袋給排口からエア吸引してもよく、この場合には内側筒状フイルム２３ａ内の残存エアを抜き取られ、特に嫌気性液体を輸送する場合に好適なものとなる。
【００２９】
図９（Ａ）に示すように、内袋本体２１の折り畳みは、内袋給排口２２を下に向けた状態で両側縁部２１ａ，２１ｂが長手方向に伸びる中心線（位置決めマーク４５）に平行に、且つこの中心線に両側縁部２１ａ，２１ｂが近接するように、谷折り線２１ｅに沿って谷折りされる。同様にしてこの谷折りした部分を再度長手方向に伸びる中心線に平行に且つこの中心線に谷折り線２１ｅが近接するように谷折り線２１ｆに沿って谷折りされ、二重に折り畳まれる。そして、（Ｂ）に示すように、谷折り線２１ｅ，２１ｆで谷折りされた状態で内袋本体２１の両端部２１ｃ，２１ｄから前記内袋給排口２２に向かって谷折り線２１ｇに沿ってさらに複数回、谷折りされることにより、（Ｃ）に示すように、内袋本体２１が小さく折り畳まれる。なお、谷折り線２１ｇに沿って谷折りする代わりに、一端部から巻き取ってロール状に形成してもよい。そして、（Ｄ）に示すように、梱包袋４０に収納される。このように谷折り線２１ｅ，２１ｆに沿って二重に折り畳むことで、内袋本体２１をコンパクトに収納することができる。なお、長手方向に伸びる中心線に平行に谷折りする回数は２回に限られず、１回または３回以上であってもよい。
【００３０】
このように内袋給排口２２が外側になるように内袋本体２１を折り畳むことにより、タンク給排口１５に内袋給排口２２を簡単にセットすることができる。また、谷折り線２１ｇにより内袋本体２１を谷折りすることにより、内袋給排口２２をタンク給排口１５にセットした状態で簡単に内袋本体２１をタンク本体１１の長手方向に容易に拡開することができる。しかも、内袋給排口２２を下に向けた状態で各谷折り線２１ｅ，２１ｆで谷折りにすることにより、内袋給排口２２から液体を充填することで、充填された液体によって折り畳まれた内袋本体２１が自然に拡開するようになる。
【００３１】
次に、内袋本体２１のタンク本体１１へのセット方法を説明する。作業者によってハッチ１３から、梱包袋４０に収納された状態で内袋２０がタンク本体１１内に持ち込まれて、梱包袋４０から内袋２０が取り出される。内袋２０には、タンク本体１１の長手方向に伸びる中心線ＣＬ１に対応するようにライン状の位置決めマーク４５が記録されており、この位置決めマーク４５をタンク本体１１の長手方向に伸びる中心線ＣＬ１に合わせるようにして、タンク給排口１５に内袋給排口２２を挿入する。この挿入前には、タンク給排口１５のフランジ１５ａからフートバルブ１６が外されている。この挿入により、取付フランジ２２ｃがタンク給排口１５のフランジ１５ａに密着される。次に、谷折り線２１ｇで折り畳まれた内袋本体２１をタンク長手方向で展開する。次に、谷折り線２１ｆで谷折りされた部分を展開して、タンク本体１１内の取り付け作業を終了する。なお、谷折り線２１ｅで谷折りされた両側縁部は折り畳まれた状態にしておく。この折り畳まれた状態の内袋本体２１によりタンク本体１１内の底部のほぼ全幅が覆われており、谷折り線２１ｅでの谷折りを展開しても自重で再度折れてしまうからである。この後、図６に示すように、タンク給排口１５に、タンク本体１１の外側から内袋吸引防止部材３０、フートバルブ１６などが取り付けられる。
【００３２】
貨物としての液体は、タンク給排口１５から充填される。この充填速度は例えば５０リットル／ｍｉｎで行われる。内袋本体２１はタンク本体１１内で長手方向に拡げられているので、液体が円滑に内袋本体２１内に充填され、この充填によって内袋本体２１が膨らむ。そして、側縁部が谷折りされた状態でも液体の充填に伴い次第に折り畳み部分が拡がって、タンク本体１１内で内袋本体２１の端部が液体が充填された部分の内袋本体２１の重みで内袋本体２１とタンク本体１１との間に挟み込まれることもなく、内袋本体２１が円滑に液体の充填で膨らみ、約２０トンの液体が収納される。
【００３３】
内袋本体２１はエア抜き工程で内側筒状フイルム２３ａのみならず、内側筒状フイルム２３ａと外側筒状フイルム２３ｂとの間の層間エアも排出されているため、内側筒状フイルム２３ａ内に約２０トンの液体が充填された状態になっても、内側筒状フイルム２３ａと外側筒状フイルム２３ｂとの間に層間エアがないため、液体充填により層間エアが圧迫されて外側筒状フイルムが破裂することがなくなる。
【００３４】
また、本実施形態では、タンク本体１１内で縦方向に拡げられて内袋本体２１がセットされるが、内袋本体２１はエア抜き工程で筒状フイルム２３ａ，２３ｂ内のエアが抜かれており、しかも内袋給排口２２にはキャップ４１が嵌められて内袋本体２１内にエアが入り込まないようになっているので、嫌気性液体にも対応が可能である。また、内袋本体２１及び内袋給排口２２を耐薬品性が高いＬＬＤＰＥから構成しているため、タンク本体１１の材質が制限されることがない。しかも、タンク内周面を、例えばポリテトラフルオロエチレンなどのフッ素樹脂でライニングする必要もなくなる。
【００３５】
タンク給排口１５から内袋給排口２２内に配置される内袋吸引防止部材３０は、液体を排出する際に、残存液体が少なくなって内袋本体２１が内袋給排口２２近くに位置したときに、この近くに位置する内袋本体２１を吸引して給排口２２を閉塞してしまうことがないように、内袋本体２１との間に通路を確保するものである。この内袋吸引防止部材３０は、タンク本体１１内に突出して配置される半球状先端部３０ｂと、これに連続し、周面に複数の連通孔３０ｃを有する筒部３０ｄと、筒部３０ｄの基部に設けられる取付フランジ３０ａとから一体的に構成されている。この半球状先端部３０ｂの内袋本体２１内への突出により内袋本体２１が給排口２２に密着してしまうことがなくなり、連通孔３０ｃを介して内袋本体２１内の残存液体が確実に排出される。
【００３６】
内袋本体２１には、内袋給排口２２の他に、タンク側のハッチに対応する位置で、図示しないエア抜きキャップや、エア抜き弁などを溶着してもよく、この場合には、内袋本体のセット作業や送液作業によってエアが入ってしまった場合に、これを簡単に抜くことができる。
【００３７】
内袋本体２１は、ＬＬＤＰＥから構成したが、この他に、ＬＤＰＥ（低密度ポリエチレン）、ＯＰ（ニ軸延伸ポリプロピレン）や、その他の合成樹脂から構成してよい。また、内袋本体２１を二重化したが、これに代えて、三重以上の多重化としてもよい。さらに、タンク本体を円筒状に構成したが、これに代えて、楕円筒状やその他の形状に構成したものに対しても本発明を実施することができる。また、本発明の内袋をタンクコンテナに用いたが、この他にタンクローリーなどのタンク用内袋として用いることもできる。
【００３８】
図１０（Ａ）は、エア抜き工程の別実施形態を示すもので、平坦な作業台５０上で押圧ローラ５１を内袋本体２１の一端部２１ｄから他端部２１ｃに向けて転がしていくことにより、エア抜きを行う。このとき、作業台５０に内袋本体２１の内袋給排口２２を下向きにして載せる。そして、内袋給排口２２が位置する作業台５０に内袋給排口収納用の丸孔５２を形成しておく。これにより、内袋給排口２２がエア抜きの際の障害物となることがなく、押圧ローラ５１を内袋本体２１の一端部２１ｄから他端部２１ｃに向けて移動させるだけで簡単にエア抜きが可能になる。
【００３９】
押圧ローラ５１は、金属製ローラの他に、周面に発泡性合成樹脂をライニングしたローラを用いてもよく、この場合には、内袋本体２１にハッチ１３に対応する位置でエア抜き栓（図示せず）などを設けた場合に、これを乗り越えて押圧しても、発泡性合成樹脂の弾性変形によって他の部分のエアが確実に排出される。
【００４０】
また、作業台５０と押圧ローラ５１との組み合わせによるエア抜きに代えて、図１０（Ｂ）に示す押圧ローラ対５５によるもの、図１０（Ｃ）に示す巻取りローラ６０と押えローラ６１とによるものなどによって、エアを排出してもよい。巻取りローラ６０にはクランプ６２が設けられており、クランプ６２は内袋本体２１の一端部２１ｄを巻取りローラ６０の周面に押圧してこれを挟持する。
【００４１】
上記各実施形態では、エア抜きを内袋本体２１を拡げた状態で行ったが、図９（Ｂ）に示すように両側縁部２１ａ，２１ｂを位置決めマーク４５に平行に谷折り線２１ｅで折り畳んだ状態や、同（Ｃ）に示すようにさらに谷折り線２１ｆで二重に折り畳んだ状態で、エア抜きを行ってもよい。この場合にはエア抜きを行った後に、他端部近くを拡げてこの部分を溶着して閉じる。エア抜きは図７（Ｈ）、図１０に示す方法で行う。また、押圧部材によるエア排出に代えて、図９（Ｃ）に示すような谷折り線２１ｇにより内袋本体２１を一端部２１ｄから他端部２１ｃに折り畳んでゆくことによりエア抜きしてもよい。このように折り畳んだ状態でエア抜きを行ったり、折り畳むことでエア抜きを行ったりすることで、後の折り畳み工程が省略可能になる。なお、エア抜きの際の折り畳み状態は上記のものに限られず、単なる二つ折りやその他の折り畳み状態でエア抜きを行ってもよい。
【００４２】
上記実施形態では、内袋本体２１を両面から押えることにより内蔵したエアを排出するようにしているが、これに代えて、図１１に示すように、吸引孔６５を多数有する吸引ヘッド６６を内袋本体２１内に挿入して、一端部２１ｄから他端部２１ｃに向けて吸引ヘッド６６を移動することで、内袋本体２１内のエアを排出してもよい。吸引ヘッド６６には吸引チューブ６７が連結されており、この吸引チューブ６７は図示しない吸引ポンプに連結されている。なお、吸引ヘッド６６の形状は特に限定されない。また、吸引ヘッド６６を幅方向に配置する代わりに、多数の吸引孔を有する吸引チューブを用いて内袋本体２１内のエアを吸引してもよい。なお、吸引により内袋本体２１そのものが変形してしまうことがないように、作業台５０に内袋本体２１の一端部、または両端部、または４隅を押えるクランプ６８を設けることが好ましい。さらには、吸引ヘッド６６や吸引チューブを用いる代わりに、内袋給排口２２に図示しない吸引パイプを接続して吸引することでエア抜きを行ってもよい。
【００４３】
図４において、内袋給排口取付穴の形成工程、及び内袋給排口の取付工程の後に、筒状フイルムの一端部の溶着工程を行っているが、これに代えて、筒状フイルムの一端部の溶着工程の後に、内袋給排口取付穴の形成工程、及び内袋給排口の取付工程を行ってもよい。
【図面の簡単な説明】
【００４４】
【図１】本発明の輸送タンク用内袋が用いられるタンクコンテナを示す正面図である。
【図２】タンク本体に適合する内袋サイズの説明図であり、（Ａ）はタンク本体と内袋の平面を、（Ｂ）はタンク本体の長手方向縦断面を、（Ｃ）はタンク本体の幅方向縦断面をそれぞれ示している。
【図３】内袋の製造方法を示す概略の斜視図である。
【図４】内袋の製造方法を示すフローチャートである。
【図５】内袋の製造方法における給排口の溶着工程を示す斜視図である。
【図６】タンク給排口に内袋給排口を取り付けた状態を示す断面図である。
【図７】筒状フイルムの両端部の溶着工程と、エア抜き工程とを示す斜視図である。
【図８】内袋本体の溶着ラインを拡大して示す平面図であり、（Ａ）は内側と外側の筒状フイルムを４層状態で一括して熱溶着した例を、（Ｂ）は内側筒状フイルムの端部のみを２層状態で熱溶着した後に、内側及び外側の筒状フイルムを４層状態で一括して熱溶着した例を、（Ｃ）は内側筒状フイルムと外側筒状フイルムとのそれぞれの端部を２層状態で熱溶着した例をそれぞれ示している。
【図９】内袋の折り畳み方法を示す説明図である。
【図１０】エア抜き工程の別の実施形態を示す概略の正面図である。
【図１１】吸引ヘッドを用いたエア抜き工程の別の実施形態を示す概略の正面図である。
【符号の説明】
【００４５】
１０  タンクコンテナ
１１  タンク本体
１５  タンク給排口
１６  フートバルブ
２０  内袋
２１  内袋本体
２２  内袋給排口
２３  筒状フイルム
３０  内袋吸入防止部材
４１  キャップ
５０  作業台
５１  押圧ローラ
５５  押圧ローラ対
６０  巻取りローラ
６５  吸引ヘッド
【図１】
2005239267.tif 000003
【図２】
2005239267.tif 000004
【図３】
2005239267.tif 000005
【図４】
2005239267.tif 000006
【図５】
2005239267.tif 000007
【図６】
2005239267.tif 000008
【図７】
2005239267.tif 000009
【図８】
2005239267.tif 000010
【図９】
2005239267.tif 000011
【図１０】
2005239267.tif 000012
【図１１】
2005239267.tif 000013